(57)【要約】      （修正有）【課題】耐久強度を高め、スーツケースが切られて物品が盗まれるのを防止する効果を備えるスーツケースの箱体伸縮構造を提供する。【解決手段】スーツケースの箱体伸縮構造は、主に箱体１０の箱蓋１２に副蓋１４を設置し、副蓋と箱蓋の間には延長布を設置し、第二ファスナーが連結して一体にする。副蓋には外凸縁を設置し、箱蓋には内凸縁１３を設置する。内、外凸縁は相互に掛合し、上述構造により、副蓋が伸びて箱体内空間が拡大する時、延長布２０を被せることで達到防止延長布が切られて中の物品が露出して盗まれるのを防止する効果を備え、副蓋１４及び箱蓋１２の内、外凸縁１３は相互に掛合することで耐久強度を高める。【選択図】図４
0003183546.tif 000002
【実用新案登録請求の範囲】
【請求項１】
スーツケースの箱体伸縮構造において、
箱体に第一ファスナー及び箱蓋を備え、箱蓋一側には副蓋を設置し、副蓋と箱蓋の間には延長布を設置して一体に連結し、延長布の両辺は相互に接合、分離する第二ファスナーを設置し、また副蓋周辺縁は外凸縁を設置し、箱蓋周辺縁は内凸縁を設置し、副蓋の外凸縁を箱蓋内に嵌合するもので、体積を小さくする時、副蓋は一部を箱蓋内に入れて縮め、第二ファスナーを接合して延長布を閉じ、副蓋を定位し、反対に体積を広げる時には第二ファスナーを分離して延長布を延ばし、副蓋の外凸縁、箱蓋の内凸縁を相互に掛合し、連結を強化して外れないようにすることを特徴とするスーツケースの箱体伸縮構造。
【考案の詳細な説明】
【技術分野】
【０００１】
本考案は、スーツケースの箱体伸縮構造に関するもので、体積が変化するスーツケース箱体構造で、耐久強度を高め、スーツケースが切られて物品が盗まれるのを防止する効果を備える。
【背景技術】
【０００２】
公知のスーツケースは箱体の大きさを変化させることができる。図１、２に示す構造は箱体１と箱蓋２に第一ファスナー３を備える他に、第一ファスナー３と箱蓋２間に延長布５を設置し、延長布５両辺には相互に接合したり、分離したりする第二ファスナー４を設置する。体積を小さくする時、図１に示すとおり、第二ファスナー４の両辺を併せて延長布５を隠すことで、箱体１と箱蓋２の距離が縮まる。反対に体積を大きくする時、図２に示すとおり、第二ファスナー４を開き、延長布５を露出させると、箱体１と箱蓋２の距離が伸びて広がる。
【先行技術文献】
【特許文献】
【０００３】
【特許文献１】実用新案登録第３１１７５４４号
【特許文献２】実用新案登録第３１６８６３３号
【考案の概要】
【考案が解決しようとする課題】
【０００４】
解決しようとする問題点として、一に延長布５は軟性材であるため、耐久強度が小さいため、延長布５箇所で凹んで平らにならない。二に、窃盗者はナイフを使用するため、延長布５を切るだけで簡単に中の物品を盗むことができる。三に延長布５は軟性材であるため、箱体１底部の車輪に絡み、滑走時に安定しない。四に、図３に示すとおり、スーツケースの後方角の車輪で走行する時、延長布５が軟性であるため、箱蓋２は物品を入れて重量があるため、箱蓋２は下向きに滑り落ちスーツケースが湾曲して変形してしまう点である。
【課題を解決するための手段】
【０００５】
本考案は、主に箱体の箱蓋に副蓋を設置し、副蓋と箱蓋の間には延長布を設置し、第二ファスナーが連結して一体にする。副蓋には外凸縁を設置し、箱蓋には内凸縁を設置する。内、外凸縁は相互に掛合し、上述構造により、副蓋が伸びて箱体内空間が拡大する時、延長布を被せることで延長布が切られて中の物品が露出して盗まれるのを防止する効果を備え、副蓋及び箱蓋の内、外凸縁は相互に掛合することで耐久強度を高めることを最も主要な特徴とする。
【考案の効果】
【０００６】
本考案のスーツケースの箱体伸縮構造は、耐久強度を高め、スーツケースが切られて物品が盗まれるのを防止する効果を備えるという利点がある。
【図面の簡単な説明】
【０００７】
【図１】公知の体積を小さくした時の立体外観図である。
【図２】公知の体積を大きくした時の立体図である。
【図３】公知の施行時に箱蓋が下方へ下がる指示図である。
【図４】本考案の立体分解図である。
【図５】本考案の体積拡大状態の組立断面図である。
【図６】本考案の体積縮小状態の組立断面図である。
【考案を実施するための形態】
【０００８】
本考案は、公知の欠点を改善するもので、主な技術として、箱蓋に更に副蓋を設置し、副蓋と箱蓋の間に延長布を設置して連結し、延長布の両辺には相互に接合、分離する箇所を第二ファスナーにする。更に箱蓋内凸縁を設置し、副蓋には外凸縁を設置する。内、外凸縁は相互に嵌合する。そのため、箱体空間を小さくしたい時、副蓋を箱蓋内に入れ込み縮小する。また体積を大きくしたい時、延長布は副蓋によって箱蓋から伸び出し、延長布は箱蓋に被さることで、箱内の物品が取られるのを防止する。更に内、外凸縁が相互掛合して副蓋と箱蓋を連結して一体にすることで、耐久強度を高める。
【実施例】
【０００９】
図４、５、６に示すとおり、箱体１０は第一ファスナー１１及び箱蓋１２を備え、箱蓋１２一側には更に副蓋１４を設置する。副蓋１４と箱蓋１２間には延長布２０を設置して一体に連結し、延長布２０両辺には相互に接合、分離する第二ファスナー２１を設置する。また副蓋１４周辺縁には外凸縁１５を設置し、箱蓋１２周辺縁には内凸縁１３を設置する。副蓋１４の外凸縁１５を箱蓋１２内に嵌入し、箱蓋１２の内凸縁１３、副蓋１４の外凸縁１５は相互に掛合する。
【００１０】
上述の構造に依る本考案の作用、効果は以下の説明のとおりである。
図５に示すのは、箱体１０と副蓋１４内の空間を広げたもので、この時、第二ファスナー２１を分離する。この場合に、延長布２０は伸び（展開する）、副蓋１４が箱蓋から伸び出し、体積が広がる。図６は、箱体内の空間を小さくしたもので、この時、第二ファスナー２１を接合し、延長布２０を縮め（折りたたむ）、副蓋１４部分を箱蓋１２内に納め、体積を小さくする。上述により、以下の長所を備える。図５に示すとおり、体積（空間）を広げる時、延長布２０を伸ばし、箱蓋１２に被さる。
【００１１】
そのため、延長布２０が切られて箱内物品が盗まれる問題が起こりにくい。図５に示すとおり、副蓋１４を伸出して体積を大きくする時，その外凸縁１５を箱蓋１２の内凸縁１３に掛合すると、連結状態を保ち、耐久強度が高まり、凹んで平らでなくなるのを防止する。更に箱蓋１２、副蓋１４が安定して連結し、箱体１０は変形せずに、車輪が安定して回転する。図６に示すとおり、体積を小さくする時、副蓋１４を箱蓋１２内に嵌入して箱蓋１２と嵌合する箇所で「重層」構造を形成することで、耐久強度を高める。
【００１２】
上述のとおり、本考案の構造は極めて良好な実用性を備え、効果を高めるため、実用新案登録申請の条件に符合する。
【符号の説明】
【００１３】
１        箱体
２        箱蓋
３        第一ファスナー
４        第二ファスナー
５        延長布
１０        箱体
１２        箱蓋
１１        第一ファスナー
１３        内凸縁
１４        副蓋
１５        外凸縁
２０        延長布
２１        第二ファスナー
【図１】
0003183546.tif 000003
【図２】
0003183546.tif 000004
【図３】
0003183546.tif 000005
【図４】
0003183546.tif 000006
【図５】
0003183546.tif 000007
【図６】
0003183546.tif 000008